(57)【要約】【課題】定着ローラー中央部表面温度の過剰上昇を防止することができ、且つ電源電圧変動時に、精度良く定着ローラーの温度上昇時間を計測し電源電圧を検知することができる定着装置、及びこの定着装置を備える画像形成装置を提供する。【解決手段】制御装置は、温度検知手段により検知された情報に基づいて定着ローラーの表面温度を判定する表面温度判定手段と、前記表面温度判定手段で設定された温度の制御点の所定の２点間において、その２点間の温度上昇時間を計測する温度上昇時間計測手段と、計測された前記温度上昇時間に基づいて電源電圧値を検知する電源電圧検知手段とを備え、前記温度上昇時間計測手段による計測の実施が、画像形成装置の待機中に行われるとともに、前記サブヒーターのみを駆動して行われることを特徴とする定着装置、及びこの定着装置を備える画像形成装置とする。【選択図】図４
2012113257.tif 000002
【特許請求の範囲】
【請求項１】
定着装置本体に回転自在に装着され、通紙領域の中央部を加熱するメインヒーターと該メインヒーターが加熱する通紙領域を除く通紙領域及び非通紙領域を加熱するサブヒーターとを内蔵する定着ローラーと、
前記定着装置本体に回転自在に装着され、トナー像が転写された転写紙を前記定着ローラーに加圧するために、前記定着ローラーに圧接して取り付けられる加圧ローラーと、
前記定着ローラーの前記非通紙領域に取り付けられる温度検知手段と、
前記メインヒーターと前記サブヒーターの駆動を制御する制御装置とを備える定着装置であって、
前記制御装置は、
前記温度検知手段により検知された情報に基づいて、前記定着ローラーの表面温度を判定する表面温度判定手段と、
前記表面温度判定手段で設定された温度の制御点の所定の２点間において、その２点間の温度上昇時間を計測する温度上昇時間計測手段と、
計測された前記温度上昇時間に基づいて電源電圧値を検知する電源電圧検知手段とを備え、
前記温度上昇時間計測手段による計測の実施が、画像形成装置の待機中に行われるとともに、前記サブヒーターのみを駆動して行われることを特徴とする定着装置。
【請求項２】
前記温度上昇時間計測手段による計測の実施が、画像形成装置のウォームアップ開始から一定時間経過後の前記待機中に一定間隔で行われるとともに、前記温度上昇時間計測手段による計測の実施時の前記サブヒーターの駆動開始温度が、通常の待機中の前記サブヒーターの駆動開始温度よりも低い温度であることを特徴とする請求項１記載の定着装置。
【請求項３】
前記温度上昇時間計測手段による計測の実施時の前記サブヒーターの出力値が、通常の待機中の前記サブヒーターの出力値よりも低い出力値であることを特徴とする請求項１又は２記載の定着装置。
【請求項４】
請求項１乃至３いずれかに記載の定着装置を備えることを特徴とする画像形成装置。
【発明の詳細な説明】
【技術分野】
【０００１】
本発明は、電源電圧に変動があっても、待機状態において定着ローラーの表面温度を安定に制御することができる定着装置及びその定着装置を備える画像形成装置に関する。
【背景技術】
【０００２】
複写機、プリンタ、ファクシミリ等の電子写真方式による画像形成装置は、画像形成部において用紙上にトナー像を転写し、転写されたトナー像を定着装置において加熱及び加圧することにより用紙に定着させ、次いでトナー像を定着させた用紙を、用紙排出部から装置本体外に排出する。
【０００３】
このような画像形成装置の定着装置では、一般的に内部にヒーターを備える定着ローラーと、定着ローラーに圧接する加圧ローラーとを備える熱ローラー方式の定着装置が用いられることが多い。熱ローラー方式の定着装置の定着ローラーは、定着ローラー中央部を加熱するメインヒーターと、定着ローラー軸方向両端部を加熱するサブヒーターとを内蔵し、定着ローラーの表面を部分的に上昇させることにより省エネルギー化が図られている。
【０００４】
一般的に、待機状態における定着ローラー表面温度の制御は、ある所定の温度を制御点とし、この制御点でオン／オフ制御を行う。しかし単にこの制御点のみでオン／オフを行うとヒーターの余熱により温度振幅が大きくなり、定着ローラー表面温度が過剰に上昇してしまう。その課題を解決するために、ヒーターのオン時間をあらかじめ所定の時間に規定することで温度振幅を小さくし、定着ローラー表面温度が過剰に上昇するのを防止している。
【０００５】
このような定着装置においては一般的に、画像形成装置作動時には定着ローラー中央部が通紙領域となり、定着ローラー両端部が非通紙領域となる。そのため、非通紙領域に備えられる接触型温度検出手段によって、定着ローラー表面温度を検知し制御している。このため、定着ローラー軸方向両端部は直接、温度制御が可能であるが、定着ローラー中央部は直接、温度検知することができないため過剰に温度が上がりやすく、これによりトナー像の定着不良や高温オフセットなどが発生するという問題があった。また非接触型温度検出手段を通紙領域に備える定着装置も知られているが、温度検出手段が非接触型のため定着ローラーの実際の表面温度とずれが生じるという問題を有している。さらに、非接触型温度検知手段は、高価な部品であるためコストアップにもつながるという問題を有している。
【０００６】
このような制御方法において、電源電圧に変動があると、定着ローラー表面温度は安定しない。電圧が低い方に振れた場合は、１度のヒーターのオンだけでは制御点に到達せず、２度ヒーターがオンし、伝達の遅れもあるため結果的に２回分の熱量の合計が通常の１回分のものよりも大きくなってしまい、温度振幅が大きくなってしまうという問題があった。反対に電圧が高い方に振れた場合は、通常と同じ時間だけヒーターをオンしても熱量の過剰投入となり、同様に温度振幅が大きくなってしまうという問題があった。通常、画像形成装置のような製品は、電源電圧の許容範囲が±１０％と規定してあることが多く、例えば定格１００Ｖのものの場合、その許容範囲は９０〜１１０Ｖとなり最小値と最大値で２０Ｖもの開きがある。具体的には、オフィス等で機器をフル稼働させた時や、不安定な電源電圧の海外で上記定着装置を備える画像形成装置を使用した場合に定着装置に入力される電源電圧が変動する。そのため、従来の制御では電源電圧に変動があると、待機状態において安定した温度振幅を得ることができなかった。
【０００７】
特許文献１には、電源投入時に既に電源電圧に変動があった場合、ある所定の温度からもう一つのある所定の温度に達するまでの時間を温度検知手段を用いて取得し、その時間によって電源電圧を導き出す温度上昇時間計測手段と、その結果をもとに加熱手段オン時間を設定する加熱手段オン時間選択手段を備えることにより、待機状態において電源電圧に関係なく常に安定した温度振幅を得ることができる電子写真装置が開示されている。
しかしながら、温度上昇時間計測時において、メインヒーターのみ駆動している場合、サブヒーターのみ駆動している場合、或いはその両方が駆動している場合において、それぞれ温度上昇の傾きが異なるため、正しい電源電圧を導き出すことができない、特にメインヒーターのみ駆動している場合は、温度検知手段がメインヒーター表面温度を直接検知していないため、メインヒーター表面温度が過剰に上昇してしまう、という問題があった。さらに、待機中においては、温度上昇時間を計測する所定の２点間の温度振幅を広くとると温度振幅が大きくなるので、この２点間の温度振幅は小さくする必要があり、その結果、温度上昇計測手段の検出時間が短くなり、精度良く電源電圧値を導き出すことができない、という問題があった。
【先行技術文献】
【特許文献】
【０００８】
【特許文献１】特開平８−１９０２９２号公報
【発明の概要】
【発明が解決しようとする課題】
【０００９】
本発明は、上記した従来技術の問題点を解決すべくなされたものであって、定着ローラー中央部表面温度の過剰上昇を防止することができ、且つ電源電圧変動時に、精度良く定着ローラーの温度上昇時間を計測し電源電圧を検知することができる定着装置、及びこの定着装置を備える画像形成装置を提供するものである。
【課題を解決するための手段】
【００１０】
請求項１に係る発明は、定着装置本体に回転自在に装着され、通紙領域の中央部を加熱するメインヒーターと該メインヒーターが加熱する通紙領域を除く通紙領域及び非通紙領域を加熱するサブヒーターとを内蔵する定着ローラーと、前記定着装置本体に回転自在に装着され、トナー像が転写された転写紙を前記定着ローラーに加圧するために、前記定着ローラーに圧接して取り付けられる加圧ローラーと、前記定着ローラーの前記非通紙領域に取り付けられる温度検知手段と、前記メインヒーターと前記サブヒーターの駆動を制御する制御装置とを備える定着装置であって、前記制御装置は、前記温度検知手段により検知された情報に基づいて、前記定着ローラーの表面温度を判定する表面温度判定手段と、前記表面温度判定手段で設定された温度の制御点の所定の２点間において、その２点間の温度上昇時間を計測する温度上昇時間計測手段と、計測された前記温度上昇時間に基づいて電源電圧値を検知する電源電圧検知手段とを備え、前記温度上昇時間計測手段による計測の実施が、画像形成装置の待機中に行われるとともに、前記サブヒーターのみを駆動して行われることを特徴とする定着装置に関する。
【００１１】
請求項２に係る発明は、前記温度上昇時間計測手段による計測の実施が、画像形成装置のウォームアップ開始から一定時間経過後の前記待機中に一定間隔で行われるとともに、前記温度上昇時間計測手段による計測の実施時の前記サブヒーターの駆動開始温度が、通常の待機中の前記サブヒーターの駆動開始温度よりも低い温度であることを特徴とする請求項１記載の定着装置に関する。
【００１２】
請求項３に係る発明は、前記温度上昇時間計測手段による計測の実施時の前記サブヒーターの出力値が、通常の待機中の前記サブヒーターの出力値よりも低い出力値であることを特徴とする請求項１又は２記載の定着装置に関する。
【００１３】
請求項４に係る発明は、請求項１乃至３いずれかに記載の定着装置を備えることを特徴とする画像形成装置に関する。
【発明の効果】
【００１４】
請求項１に係る発明によれば、制御装置は、温度検知手段により検知された情報に基づいて定着ローラーの表面温度を判定する表面温度判定手段と、前記表面温度判定手段で設定された温度の制御点の所定の２点間においてその２点間の温度上昇時間を計測する温度上昇時間計測手段と、計測された前記温度上昇時間に基づいて電源電圧値を検知する電源電圧検知手段とを備え、前記温度上昇時間計測手段による計測の実施が、画像形成装置の待機中に行われるとともに、前記サブヒーターのみを駆動して行われることにより、定着ローラー中央部表面温度の過剰上昇を防止することができ、且つ定着ローラー表面温度の上昇時間を正しく検知することができ、これにより正しい電源電圧値を検知することができる定着装置を提供することができる。
【００１５】
請求項２に係る発明によれば、前記温度上昇時間計測手段による計測の実施が、ウォームアップ開始から一定時間経過後の画像形成装置の待機中に一定間隔で行われるとともに、前記温度上昇時間計測手段による計測の実施時の前記サブヒーターの駆動開始温度が、通常の待機中の前記サブヒーターの駆動開始温度よりも低い温度であることにより、計測する温度上昇時間を長くとることができ、それにより温度上昇時間、及びその温度上昇時間からの電源電圧値の検知を精度良く行うことができる定着装置を提供することができる。
【００１６】
請求項３に係る発明によれば、前記温度上昇時間計測手段による計測の実施時の前記サブヒーターの出力値が、通常の待機中の前記サブヒーターの出力値よりも低い出力値であることにより、温度上昇勾配が抑えられ計測する温度上昇時間を長くとることができ、それにより温度上昇時間、及びその温度上昇時間からの電源電圧値の検知を精度良く行うことができる定着装置を提供することができる。
【００１７】
請求項４に係る発明によれば、上記効果を有する定着装置を備える画像形成装置を提供することができる。
【図面の簡単な説明】
【００１８】
【図１】本発明に係る画像形成装置の側面断面図である。
【図２】本発明に係る定着装置の概略断面図である。
【図３】本発明に係る定着装置の定着ローラーの内部断面図である。
【図４】サブヒーター駆動条件による比較のための、温度上昇計測時間の結果を示すグラフである。
【図５】画像形成装置待機中及び温度上昇時間計測時のメインヒーター及びサブヒーターの駆動制御の例を示すものである。
【発明を実施するための形態】
【００１９】
以下、本発明に係る定着装置及びこの定着装置を備える画像形成装置について、図面を参照しながら説明する。
【００２０】
図１は、本発明に係る画像形成装置の側面断面図である。
図１に示されるように、画像形成装置（１）の正面には、装置本体（２）の下部に設けられた回動支点（３）を中心として、回動可能に取付けられた手差しトレイ（４）が設けられており、手差しトレイ（４）には給紙カセット（５）に入っていないサイズの用紙や厚紙、ＯＨＰシート等のように１枚ずつ送り込みたいものが載置される。
ここで図１の説明の便宜上、図１の矢印で示すＦ及びＲを正面及び背面とし、Ｈ及びＬを上方及び下方とする。
【００２１】
装置本体（２）の内部下方には、給紙カセット（５）が配置されている。給紙カセット（５）の背面には、第１用紙搬送部（６）が備えられている。第１用紙搬送部（６）は、給紙カセット（５）から送り出された用紙を受け取り、装置本体（２）の背面に沿って垂直上方に搬送する。
【００２２】
手差しトレイ（４）の背面方向には、第２用紙搬送部（７）が備えられている。第２用紙搬送部（７）は、給紙カセット（５）のすぐ上方にあって、手差しトレイ（４）から第１用紙搬送部（６）まで略水平に延び、第１用紙搬送部（６）に合流している。
第２用紙搬送部（７）は、手差しトレイ（４）から送り出された用紙等を受け取り、略水平に第１用紙搬送部（６）まで搬送し、次いで第１用紙搬送部（６）が二次転写ローラー（８）に用紙を搬送する。
【００２３】
画像形成装置（１）は、外部コンピュータ（図示せず）から原稿画像データを受信する。この画像データの情報は、第２用紙搬送部（７）の上方に配置された露光手段であるレーザ照射部（９）に送られる。レーザ照射部（９）により、画像データに基づいて制御されたレーザ光が、画像形成部（１０）に向かって照射される。
【００２４】
図１に示すように、レーザ照射部（９）の上方には計４台の画像形成部（１０）が、更にこれら各画像形成部（１０）の上方には中間転写体を無端ベルトの形で用いた中間転写ベルト（１１）が備えられている。中間転写ベルト（１１）は、複数のローラーに巻き掛けられて支持され、駆動装置（図示せず）により図１において反時計回りに回転する。
【００２５】
４台の画像形成部（１０）は、中間転写ベルト（１１）の回転方向に沿って、回転方向上流側から下流側に向けて一列に配置された所謂タンデム方式である。４台の画像形成部（１０）とは、上流側から順に、マゼンダ用の画像形成部（１０Ｍ）、シアン用の画像形成部（１０Ｃ）、イエロー用の画像形成部（１０Ｙ）、及びブラック用の画像形成部（１０Ｂ）である。これらの画像形成部（１０）には、各色の現像ユニット（１２）が配されており、トナーが補給される。なお、以下の説明において、特に限定する必要がある場合を除き、「Ｍ」「Ｃ」「Ｙ」「Ｂ」の識別記号は、省略するものとする。
【００２６】
各画像形成部（１０）は、露光手段であるレーザ照射部（９）によって照射されたレーザ光により原稿画像の静電潜像が形成され、この静電潜像からトナー像が現像される。トナー像は、各画像形成部（１０）の上方に備えられた中間転写ベルト（１１）表面に一次転写される。そして、中間転写ベルト（１１）の回転とともに、所定のタイミングで各画像形成部（１０）のトナー像が中間転写ベルト（１１）に転写されることにより、中間転写ベルト（１１）表面にはマゼンダ、シアン、イエロー、ブラックの４色のトナー像が重ね合わされて、カラートナー像が形成される。
【００２７】
中間転写ベルト（１１）が用紙搬送路に懸かる箇所には、二次転写ローラー（８）が配置されている。中間転写ベルト（１１）表面に一旦担持されたカラートナー像は、第１用紙搬送部（６）によって同期をとって送られてきた用紙に、中間転写ベルト（１１）と二次転写ローラー（８）とが圧接して形成される二次転写ニップ部にて転写される。
【００２８】
二次転写ローラー（８）の上方には、定着装置（１２）が備えられている。二次転写ローラー（８）にて未定着トナー像を担持した用紙は、定着装置（１２）へと送られ、定着ローラー（１３）と加圧ローラー（１４）とにより中間転写ベルト（１１）上のトナー像が加熱、加圧されて用紙上に定着される。
【００２９】
図２は、本発明に係る定着装置の概略断面図であり、図３は、本発明に係る定着装置の定着ローラーの内部断面図である。
図２に示される定着装置（１２）は、定着装置本体（１５）と、定着装置本体（１５）に回転自在に装着された定着ローラー（１３）と、搬送される用紙を定着ローラー（１３）に加圧する加圧ローラー（１４）とを備えている。
【００３０】
図２及び図３に示されるように、定着ローラー（１３）は、円筒状の定着ローラー本体（１３ａ）と、定着ローラー本体（１３ａ）表面の通紙領域（Ａ）中央部（Ｃ）を主に加熱するためのメインヒーター（１３ｂ）と、定着ローラー本体（１３ａ）表面のメインヒーター（１３ｂ）が加熱する通紙領域（Ａ）を除く通紙領域端部及び非通紙領域（Ｂ）を主に加熱するサブヒーター（１３ｃ）とを有しており、メインヒーター（１３ｂ）及びサブヒーター（１３ｃ）は、円筒状の定着ローラー本体（１３ａ）に内蔵されている。メインヒーター（１３ｂ）は定着ローラー（１３）の中央部（Ｃ）を、サブヒーター（１３ｃ）は定着ローラー（１３）の端部（Ｄ）を夫々個別に加熱するので、定着ローラー（１３）の表面温度を効率的に維持することができる。定着ローラー（１３）には、その表面温度を検知するための温度検出手段（１６）が備えられ、定着ローラー（１３）の表面温度を正確に検知している。
【００３１】
加圧ローラー（１４）は、メインヒーター（１３ｂ）と、サブヒーター（１３ｃ）を内蔵した定着ローラー（１３）に圧接した状態で、定着装置本体（１５）に回転自在に装着されている。この加圧ローラー（１４）と定着ローラー（１３）との間を、トナー像が転写された用紙が通過するときに、用紙に転写されたトナーが定着ローラー（１３）により加熱されながら、加圧ローラー（１４）により圧着される。
【００３２】
図３に示されるように、定着ローラー（１３）には、メインヒーター（１３ｂ）と、サブヒーター（１３ｃ）を内蔵している。メインヒーター（１３ｂ）は、主に定着ローラー本体（１３ａ）のローラー軸方向の中央部（Ｃ）に発光部（１７ａ）を有する。従って、メインヒーター（１３ｂ）を加熱すると図３に示される定着ローラー本体（１３ａ）の表面中央部分の温度が上昇する。
【００３３】
サブヒーター（１３ｃ）は、定着ローラー本体（１３ａ）のローラー軸方向両端部（Ｄ）夫々に発光部（１７ｂ）を有する。このサブヒーター（１３ｃ）によって、定着ローラー本体（１３ａ）の両端部（Ｄ）が加熱された時、定着ローラー本体（１３ａ）表面の通紙領域の両端部及び非通紙領域の一部の温度が上昇する。
【００３４】
定着ローラー（１３）の表面温度を検知する温度検知手段（１６）は、定着ローラー（１３）の表面に隣接して配置されている。図３に示されるように、温度検知手段（１６）は、定着ローラー（１３）の非通紙領域（Ｂ）の端部表面に接触した状態で定着装置本体（１５）に装着されている。温度検知手段（１６）としては、接触型センサ例えば接触型サーミスタ温度計が用いられている。この温度検知手段（１６）により定着ローラー本体（１５）のローラー軸方向の端部の表面温度が直接的に測定される。これにより、定着ローラー（１３）表面の正確な温度を検知することができ、正確な温度情報を制御装置（図示せず）に送ることができる。
【００３５】
制御装置は、温度検知手段（１６）により検知された温度に基づいて、メインヒーター（１３ｂ）及びサブヒーター（１３ｃ）の通電状態を制御する。具体的には、制御装置は、温度検知手段（１６）により検知された検知温度データに基づいて、メインヒーター（１３ｂ）及びサブヒーター（１３ｃ）のオン／オフ状態を制御する。
【００３６】
画像形成装置（１）の起動時には、メインヒーター（１３ｂ）とサブヒーター（１３ｃ）が同時に起動し、定着ローラー（１３）の表面温度を規定温度まで上昇させる。規定温度に達した後の画像形成装置（１）の待機状態においては、サブヒーター（１３ｃ）とメインヒーター（１３ｂ）が交互に、夫々所定の時間駆動し、定着ローラー（１３）の表面温度を維持させる。
【００３７】
メインヒーター（１３ｂ）とサブヒーター（１３ｃ）の駆動を制御する制御装置は、温度検知手段（１６）により取得された情報に基づき、定着ローラー（１３）の表面温度を判定する表面温度判定手段を備える。画像形成装置（１）の待機状態において、この表面温度判定手段で設定された温度の制御点の所定の２点における温度上昇時間を、制御装置内の温度上昇時間計測手段によって計測する。その際、メインヒーター（１３ｂ）のみ駆動している場合、サブヒーター（１３ｃ）のみ駆動している場合、或いはその両方が駆動している場合において、それぞれ温度上昇の傾きが異なるため、それぞれ温度上昇時間も異なってしまう。そのため、温度上昇時間を計測する間は、温度検知手段（１６）が直接検知しているサブヒーター（１３ｃ）のみの駆動とし、これにより、定着ローラー（１３）の表面温度の上昇時間を正しく検知することができる。
【００３８】
制御装置は、この検知された温度上昇時間に基づいて電源電圧値を導き出す電源電圧検知手段を備える。基準の電源電圧における温度上昇時間と比較して、温度上昇時間が短い時は電源電圧値が高く、温度上昇時間が長い場合は電源電圧値が低い。この導き出された電源電圧値に基づきヒーターオン時間を決定することで、変動する電源電圧に応じて定着ローラー表面の温度振幅が小さく安定した制御を行うことができる。
【００３９】
温度上昇時間計測の際、温度上昇時間があまり短すぎると計測結果の信頼性に欠ける。精度の良い計測結果を得るためには、温度上昇計測時間がある程度の長さを有する必要がある。
そのため、温度上昇時間計測の際、サブヒーター（１３ｃ）の駆動開始温度を、通常の待機中の駆動開始温度よりも低い温度に設定する。これにより、検知時間を長くとることができ、精度の良い計測結果を得ることができる。
さらに、温度上昇時間計測の際、サブヒーター（１３ｃ）の出力値を、通常の待機中の出力値よりも低い出力値とする。例えば、半波ごとにオンすることで出力を抑えることができる。これにより、検知時間を長くとることができ、精度の良い計測結果を得ることができる。
【実施例】
【００４０】
以下、本発明の実施例及び比較例を説明することにより、本発明の効果をより明確なものとする。但し、本発明は以下の実施例には限定されない。
（実施例）
図５は、画像形成装置待機中及び温度上昇時間計測時のメインヒーター及びサブヒーターの駆動制御の例を示すものである。
電源投入時においては、サブヒーター（１３ｃ）とメインヒーター（１３ｂ）を両方駆動させる。定着ローラー（１３）に接触して備えられる温度検知手段であるサーミスタ（１６）が１４９℃を検知した時点で、両方のヒーターをオフさせる。その後の待機状態において、サーミスタ（１６）が再び１４９℃を検知すると、サブヒーター（１３ｃ）を１．６秒間駆動させ、次いでメインヒーター（１３ｂ）を１．６秒間駆動させ、それを繰り返すことで定着ローラー（１３）の表面温度を制御する。この時、サブヒーター（１３ｃ）がオフする時点で検知温度は１５０〜１５１℃を示した。
【００４１】
その後、ウォームアップ開始から一定時間（９０秒）経過後より温度上昇時間の計測を開始する。サーミスタ（１６）の検知温度が１４７℃に下がるまで待機し、サーミスタ（１６）が１４７℃を検知した時点で、サブヒーター（１３ｃ）を半波で駆動開始させ、１５１℃を検知した時点でサブヒーター（１３ｃ）をオフさせる。そのサブヒーター（１３ｃ）のオンからオフまでの時間を、温度上昇時間計測手段により計測し、内蔵されたテーブル（又は式）より電源電圧を決定する。内蔵されたテーブルより決定された電源電圧に対する補正値を待機中のヒーター駆動時間に適用し、温度上昇時間の計測を行ったサブヒーター（１３ｃ）消灯後のメインヒーター（１３ｂ）駆動時間より適用を開始する。温度上昇時間の計測は、待機中に一定間隔で行い、そのつど補正を適用する。
【００４２】
（比較例）
次いで、温度上昇時間計測時のサブヒーター（１３ｃ）の駆動開始温度を１４９℃に設定し、サブヒーター（１３ｃ）を連続駆動させて温度上昇時間を計測した以外は、実施例と同条件で試験を行い、上記実施例で得られた結果と比較した。
【００４３】
【表１】
2012113257.tif 000003
【００４４】
表１は、サブヒーター駆動条件による比較のための、温度上昇計測時間の結果を示すものであり、図４は、そのグラフである。
この結果から明らかなように、サブヒーター（１３ｃ）の駆動開始温度を低くし、出力を抑えることで、通常待機状態時の温度上昇計測時間を長くとることができる。
【００４５】
表２は、電源電圧の検知結果によって決定されるメインヒーター（１３ｂ）及びサブヒーター（１３ｃ）の駆動時間の一例である。
【００４６】
【表２】
2012113257.tif 000004
【００４７】
検知された電源電圧が通常電圧より高い場合はヒーター駆動時間を短く設定し、検知された電源電圧が通常電圧より低い場合はヒーター駆動時間を長く設定することで、安定した温度制御を行うことができる。
【００４８】
表３は、印字中のメインヒーター（１３ｂ）の点灯デューティに対応するサブヒーター（１３ｃ）の点灯デューティ比との関係を示す対応テーブルである。
【００４９】
【表３】
2012113257.tif 000005
【００５０】
印字中は、表３のテーブルに基づいて、検知された電源電圧及びメインヒーター（１３ｂ）の点灯デューティにより、サブヒーター（１３ｃ）の点灯デューティが設定される。これにより、印字中の定着ローラー（１３）の安定した温度制御を行うことができることで印刷処理枚数の減少を防ぐことができる。
【００５１】
これらの結果から明らかなように、サブヒーター（１３ｃ）の駆動開始温度を低くし、出力を抑えることで、通常待機状態時の温度上昇計測時間を長くとることができ、電源電圧を精度よく検知することが可能となった結果、安定した温度制御を行うことができる。
【産業上の利用可能性】
【００５２】
本発明は、電子写真方式のプリンタ、複写機、ファクシミリ等の、定着装置を備えた画像形成装置に対して好適に利用される。
【符号の説明】
【００５３】
１    画像形成装置
１２    定着装置
１３    定着ローラー
１３ｂ  メインヒーター
１３ｃ  サブヒーター
１５    定着装置本体
１６    温度検知手段
１７ａ  発光部
１７ｂ  発光部
【図１】
2012113257.tif 000006
【図２】
2012113257.tif 000007
【図３】
2012113257.tif 000008
【図４】
2012113257.tif 000009
【図５】
2012113257.tif 000010